(57)【特許請求の範囲】
【請求項１】
配管の壁面に相対して設けられた上方と下方の一対の貫通穴と、前記上方の貫通穴に形成された内ねじと、この内ねじに係合し上方の貫通穴より突出する外ねじを上方の端部に持ち、下方の貫通穴から突出する下方の端部を備えた棒状の弁本体と、この弁本体の下方の端部から弁本体の軸線に沿って上向きに設置され、弁本体の側面に開口する側面オリフィスを形成した縦方向通路とを有し、弁本体を貫通穴に挿入し弁本体の下方の端部を下方の貫通穴に係合させた後、弁本体の前記上方の端部を回転させて上方の貫通穴の内ねじと弁本体の上方の端部の外ねじを噛み合わせて支持され、上方の端部を介して行う弁本体の回転操作により配管壁に対する側面オリフィスの位置移動を行い、配管内における側面オリフィスの開口断面積を変化させて縦方向通路から流出する流体の流量調節を行うもので、前記側面オリフィスは弁本体の両側に相対して設けられ、配管内を流れる流体は側面オリフィスを通して弁本体を通過することができる配管装置。
【発明の詳細な説明】
【０００１】
【発明の属する技術分野】
本発明は、流体流量調節機能を備えた配管装置に関する。
【０００２】
【従来の技術】
配管に弁を取り付ける場合、通常は、配管に設けた穴にタップを立ててねじを切り、弁のソケットをねじ込んで固定している。融雪配管のような多数の散水ノズルを使用するケースでは、例外的に、ねじ込み式の皿頭ファスナを利用することもある。
後者の例では、管壁穴の縁とファッスナの皿部分の間隔を変化させて流量を調節する構造のため、設置当初の流量を途中で変更したり流出を遮断する弁本来の機能は備えていない。
【０００３】
【発明が解決しようとする課題】
先に説明した融雪設備を例に取ると、高所位置に設置され長距離にわたり張り巡らされる送水系では、必要とするノズルまたは弁の数は膨大であり、それだけに個々の流出口での流量管理は重要である。設備固有の課題であるポンプ揚程と送水能力面での制約に加えて、ポンプ動力とボイラ燃料の節約の観点から、また地下水資源の有効利用のために、個々のノズルからの散水量を適切に管理するための単純な構造の弁構造を備えた配管装置が必要とされている。従来のような配管に単純な穿孔を設けておく方式は地下水の無駄使いであり、共有資源の有効活用の観点から設備として容認されない。
【０００４】
構造面からの課題として、従来の小型弁では散水流量を絞り込むと水中に含まれる微細なシルト粒子が弁座に容易に付着し流量が不安定になり、堆積して短期間のうちに目詰まりを起こす現象が認められる。また、凍結して破損したり閉塞が起きるため保温対策も欠かせない。
【０００５】
材工費の観点から、多数の弁の使用は、弁設置配管工事費用だけが他の設備系工事費用に比べて大幅に突出する金額となるため、設備仕様に組み入れるには無理がある。
【０００６】
少ない流量で使用しても詰まりが起きず、凍結しにくく、凍結したとしても自律復帰性能に優れ、配管内に収納して外部から隠すことができる、単純な構造をした弁要素を内蔵する安価な配管装置が必要とされている。
【０００７】
【課題を解決するための手段】
配管の壁面に相対して設けられた上方と下方の一対の貫通穴と、前記上方の貫通穴に形成された内ねじと、この内ねじに係合し上方の貫通穴より突出する外ねじを上方の端部に持ち、下方の貫通穴から突出する下方の端部を備えた棒状の弁本体と、この弁本体の下方の端部から弁本体の軸線に沿って上向きに設置され、弁本体の側面に開口する側面オリフィスを形成した縦方向通路とを有している。弁本体を貫通穴に挿入し弁本体の下方の端部を下方の貫通穴に係合させた後、弁本体の前記上方の端部を回転させて上方の貫通穴の内ねじと弁本体の上方の端部の外ねじを噛み合わせて支持され、上方の端部を介して行う弁本体の回転操作により配管壁に対する側面オリフィスの位置移動を行い、配管内における側面オリフィスの開口断面積を変化させて縦方向通路から流出する流体の流量調節を行うもので、前記側面オリフィスは弁本体の両側に相対して設けられ、配管内を流れる流体は側面オリフィスを通して弁本体を通過することができるようにしている。
【０００８】
【発明の実施の形態】
配管装置１は、円形断面の配管２と、配管の壁面に相対して設けられ、少なくとも一方に内ねじを形成した一対の貫通穴４、６と、内ねじを設けた一方の穴４に係合する外ねじ３を一方の端部に持ち、他方の穴６から突出する他方の端部５を備えた棒状の弁本体７と、この弁本体の先端から弁本体の軸線に沿って設置され、弁本体の側面に開口する側面オリフィス９を形成した縦方向通路１１と有している。
【０００９】
一対の貫通穴はドリルによる１度の操作により開けられる。タップ付きドリルを使用した場合、穴開けと同時に片方の穴４の内壁に内ねじを形成することができ作業能率の面で都合がよい。こうして形成した一対の貫通穴４、６に弁本体７を挿入する。一方の穴４から挿入した弁本体７は他方の端部５が他方の穴６に届いてから外ねじ３が一方の穴４の内ねじに係合するようになる。すなわち、弁本体の他方の端部５を他方の穴６に係合させた後、弁本体を回転させて一方の穴の内ねじと弁本体の外ねじ３を噛み合わせ回転させれば弁本体は穴内に進入していく。この回転操作により配管壁に対する側面オリフィスの位置が移動し、側面オリフィスの開口断面積は変化し、その結果、縦方向通路１１から流出する流体の流量は調節される。
【００１０】
配管は、流体、例えば、融雪水の供給配管として使用される。従って、この場合の配管装置は散水機能を果たす融雪水供給装置である。この配管装置を雪に使用した後の水の戻り配管装置として使用する場合、配管内を融雪水が流れると同時にその一部が弁本体を通じて漏出し、配管内の凍結を防ぐと同時に、流水が停止した後は配管内の残水を排出し、管内の凍結を防止する凍結防止排水弁を備えた配管装置として機能する。
【００１１】
【発明の効果】
弁本体は端部を残して主要部は配管内に収容され、本来の配管の外観を呈しているにすぎない。間隔をおいて多数の弁本体を使用しても配管の直線的な形態は変化せず、見る者にどこにでもある単純な設備仕様の印象しか与えないため、様々な用途に使用でき都合が良い。
【００１２】
配管を流れる流体は弁装置に接しその周囲を流れ、側面オリフィスから縦方向通路を経て流出する。例えば、配管装置を融雪水の散水装置として使用する場合、弁本体は配管内に収納されているので外部への直接放熱は少なく、また送水が停止されれば弁本体を通じて排水され、配管内に残留しない。仮に、縦方向通路が氷結して通路が閉塞することがあっても、送水が再開されれば弁本体全体は急速に加熱され短時間のうちに解氷し通水を再開することができる。短時間のうちに自律復帰するため、維持費の嵩むヒータ加熱手段を設置しておかなくてもよい。
【００１３】
ドライバ等の工具を用いて手軽に弁本体を回転させて位置調整を行なえるが、いったん調整を終えた弁本体は部外者が手で容易に動かすことはできず厳格な保全管理を行える。
【００１４】
前述した構成において、前記側面オリフィスを弁本体の棒状部分の両側に相対して設けておけば、配管内を流れる流体は側面オリフィスを通過するのでごみ詰まりが起きにくい。
【００１５】
本体を他方の端部方向に移動させれば他方の穴は棒状部分により閉鎖され、弁本体は遮断弁として機能する。
【００１６】
本体の方の端部の縦方向通路を、図示のような縦方向通路にすれば放出する流体を、例えば、扇状にスプレイすることができる。あるいは、この端部に噴霧を行うオリフィスを設けたプレート板を適宜ねじ締め固定して使用することもできる。プレート板は中央にスプレー穴を設けたキャップの形態をしており、弁本体の露出する端部の外周に設けた外ねじに係合する内ねじを備えている。  融雪配管の通常の形態では、弁本体の突出する他方の端部はホース取付け用のニップルとして使用される。
【００１７】
【図面の簡単な説明】
【図  １】弁本体の一例を示す正面図。
【符合の説明】
１  配管装置
２  配管
３  外ねじ
４  一方の穴
５  他方の端部
６  他方の穴
７  弁本体
９  側面オリフィス
１１  縦方向通路
【図１】
0004192260.tif 000002